(57)【要約】【課題】空気とともに室内に放出するイオンのイオン濃度を高くすることができ、ウイルス菌の除菌効果が大きく、カーテン，衣類等に付着している付着臭の除去効果が大きいイオン発生装置を提供する。【解決手段】軸方向の両方に出力軸２１，２１を有するモータ２及び出力軸２１，２１夫々に装着されている二つの羽根車３，３を有する送風機と、羽根車３，３夫々の回転により送出する空気を同方向へ個別に通流させて外部へ放出する二つのダクト５，５とを備え、ダクト５，５夫々の一部又は全部は、前記空気の通流が層流となるようになしてある層流部を設けてあり、層流部夫々にイオン発生部を配することにより、イオン発生部が発生したイオンを、前記空気に効率的に含ませることができ、空気とともに室内に放出するイオンのイオン濃度を高くすることができるようにした。【選択図】図１
2010080425.tif 000002
【特許請求の範囲】
【請求項１】
送風機と、イオンを発生させるイオン発生部とを備え、該イオン発生部が発生したイオンを、前記送風機が送出する空気とともに外部に放出するようになしてあるイオン発生装置において、前記送風機は、軸方向の両方に出力軸を有するモータ及び前記出力軸夫々に装着されている二つの羽根車を有し、羽根車夫々の回転により送出する空気を同方向へ個別に通流させて装置の外部へ放出する二つの通流路を備え、通流路夫々に前記イオン発生部を配してあることを特徴とするイオン発生装置。
【請求項２】
前記通流路夫々の一部又は全部は、前記空気の通流が層流となる層流部を有し、層流部夫々に前記イオン発生部を配してある請求項１記載のイオン発生装置。
【請求項３】
前記羽根車の回転により送出する空気を整風する整風体を備え、該整風体に前記イオン発生部を配してある請求項１又は２記載のイオン発生装置。
【請求項４】
前記整風体は、前記羽根車夫々の回転により送出する空気を誘導する二つの円弧形誘導壁及び該円弧形誘導壁夫々の一部から円弧形誘導壁夫々の接線方向一方へ開放されている二つの吹出口を有し、前記円弧形誘導壁夫々に前記イオン発生部を配してある請求項３記載のイオン発生装置。
【請求項５】
前記通流路夫々は、前記吹出口夫々から吹出された空気の上方への通流が層流となるようになしてある筒部を有し、筒部夫々に前記イオン発生部を配してある請求項４記載のイオン発生装置。
【請求項６】
前記通流路夫々の放出側端に二つの風向体を配してあり、該風向体の少なくとも一つは取外しが自在である請求項１から５のいずれか一つに記載のイオン発生装置。
【請求項７】
前記風向体夫々は、前記筒部夫々から上方へ放出される空気の放出方向に対して斜め方向へ前記空気の放出方向を変える風向部を有する請求項６記載のイオン発生装置。
【請求項８】
前記風向体夫々は、断面倒立台形をなす角枠部を有し、該風向体の少なくとも一つは、一方向へ放出する第１の放出部と、他方向へ放出する第２の放出部とを有する請求項７記載のイオン発生装置。
【請求項９】
前記風向体の少なくとも一つは、一方向へ放出する第１の放出部と、他方向へ放出する第２の放出部とを有する請求項６記載のイオン発生装置。
【請求項１０】
前記第１及び第２の放出部の一方の風量は他方の風量よりも多い請求項８又は９記載のイオン発生装置。
【請求項１１】
前記風向体は枠部を有し、前記第１の放出部は、離隔して対向する複数の風向板を有し、前記第２の放出部は前記風向板の一つと前記枠部の内面との間に配してある請求項９又は１０記載のイオン発生装置。
【請求項１２】
前記イオン発生部は、前記空気が通流する通流方向と交差する方向に離隔して複数配してある請求項１から１１のいずれか一つに記載のイオン発生装置。
【請求項１３】
前記イオン発生部は、前記通流方向に離隔して複数配してある請求項１２記載のイオン発生装置。
【発明の詳細な説明】
【技術分野】
【０００１】
本発明はイオン発生部が発生したイオンを、送風機が送出する空気とともに室内に放出し、室内に浮遊するインフルエンザウイルス等のウイルス菌の感染を低減し、カーテン，衣類等に付着している付着臭を除去するためのイオン発生装置に関する。
【背景技術】
【０００２】
居住室内にはセラチア菌，バチルス菌等の細菌、ウイルス菌等が浮遊しており、また、室内に吊下げられているカーテン，衣類等には異臭が付着しているため、室内の空気を清浄にする空気清浄機を室内に配してある。特許文献１に記載された空気清浄機は、プラスイオンのＨ+ （Ｈ2 Ｏ）ｎ及びマイナスイオンのＯ2-（Ｈ2 Ｏ）ｎを発生させる誘電体と、該誘電体が発生したＨ+ （Ｈ2 Ｏ）ｎ及びＯ2-（Ｈ2 Ｏ）ｎを室内に放出する送風機とを備える。
【０００３】
この空気清浄機はＨ+ （Ｈ2 Ｏ）ｎ及びＯ2-（Ｈ2 Ｏ）ｎを同時に発生させることにより、化学反応によって活性種である過酸化水素Ｈ2 Ｏ2 又は水酸化ラジカル（・ＯＨ）を生成する。この過酸化水素Ｈ2 Ｏ2 又は水酸化ラジカル（・ＯＨ）は極めて強力な活性を示すため、この過酸化水素Ｈ2 Ｏ2 、水酸化ラジカル（・ＯＨ）を室内の空気中に放出することにより、浮遊細菌を分解して除去することができる。
【先行技術文献】
【特許文献】
【０００４】
【特許文献１】特許第３７７０７８４号公報
【発明の概要】
【発明が解決しようとする課題】
【０００５】
特許文献１記載の空気清浄機が空気とともに室内に放出するイオンの室内でのイオン濃度は、１０００〜２０００個／cm3 であるため、セラチア菌，バチルス菌等の細菌に関してはある程度の除菌効果がある。しかし、ウイルス菌に関しては１cm3 当たりのイオンの個数が少なく、ウイルス菌を分解して除菌する除菌効果が小さいし、また、カーテン，衣類等に付着している付着臭を除去する除去効果も小さい。因って、室内でのイオン濃度を高くすることができるイオン発生装置が要望されていた。
【０００６】
ところで、室内でのイオン濃度を高めるには、送風機が送風する空気の通流路に配されるイオン発生部が発生するイオンの個数を多くすることが考えられる。しかし、一つの通流路に配されるイオン発生部の個数を多くしてもイオンの個数が複数倍になるわけではなく、通流路においてイオンの個数が飽和状態となり、イオンの個数を著しく高めることが困難である。
【０００７】
本発明は斯かる事情に鑑みてなされたものであり、主たる目的は、軸方向の両方に出力軸を有するモータ及び前記出力軸夫々に装着されている二つの羽根車を有し、羽根車夫々の回転により発生する気流を同方向へ個別に誘導して外部へ放出する二つの通流路を備え、通流路夫々にイオン発生部を配することにより、空気とともに室内に放出するイオンのイオン濃度を高くすることができ、ウイルス菌の除菌効果が大きく、カーテン，衣類等に付着している付着臭の除去効果が大きいイオン発生装置を提供することにある。
【課題を解決するための手段】
【０００８】
本発明に係るイオン発生装置は、送風機と、イオンを発生させるイオン発生部とを備え、該イオン発生部が発生したイオンを、前記送風機が送出する空気とともに外部に放出するようになしてあるイオン発生装置において、前記送風機は、軸方向の両方に出力軸を有するモータ及び前記出力軸夫々に装着されている二つの羽根車を有し、羽根車夫々の回転により送出する空気を同方向へ個別に通流させて装置の外部へ放出する二つの通流路を備え、通流路夫々に前記イオン発生部を配してあることを特徴とする。
【０００９】
この発明にあっては、一つのモータが二つの羽根車を回し、羽根車夫々の回転により発生する気流を二つの通流路から外部へ放出し、通流路夫々にイオン発生部を配してあるため、空気とともに室内に放出するイオンのイオン濃度を高くすることができる。因って、ウイルス菌を分解して除菌する除菌効果を大きくすることができ、室内でウイルスに感染するのを低減できる。また、カーテン，衣類等に付着している付着臭を除去する除去効果を大きくすることができる。
【００１０】
また、本発明に係るイオン発生装置は、前記通流路夫々の一部又は全部は、前記空気の通流が層流となる層流部を有し、層流部夫々に前記イオン発生部を配してある構成とするのが好ましい。
この発明にあっては、羽根車夫々の回転により発生する気流が個別に層流となる層流部にイオン発生部を配してあるため、イオン発生部が発生したイオンを、通流路夫々を通流する層流の空気に効率的に含ませることができ、空気とともに室内に放出するイオンのイオン濃度を高くすることができる。因って、ウイルス菌を分解して除菌する除菌効果を大きくすることができ、室内でウイルスに感染するのを低減できる。また、カーテン，衣類等に付着している付着臭を除去する除去効果を大きくすることができる。
【００１１】
また、本発明に係るイオン発生装置は、前記羽根車の回転により送出する空気を整風する整風体を備え、該整風体に前記イオン発生部を配してある構成とするのが好ましい。
この発明にあっては、整風体により整風にされて層流に通流する空気にイオンを効率的に含ませることができるため、空気とともに室内に放出するイオンのイオン濃度を高くすることができ、ウイルス菌の除菌効果を大きくすることができる。
【００１２】
また、本発明に係るイオン発生装置は、前記整風体は前記羽根車を収容してあるケーシングである構成とするのが好ましい。
この発明にあっては、ケーシング内の比較的狭い通路を通流する層流の空気にイオンを効率的に含ませることができるため、空気とともに室内に放出するイオンのイオン濃度をより一層増すことができる。
【００１３】
また、本発明に係るイオン発生装置は、前記ケーシングは、前記羽根車夫々の回転により送出する空気を誘導する二つの円弧形誘導壁及び該円弧形誘導壁夫々の一部から円弧形誘導壁夫々の接線方向一方へ開放されている二つの吹出口を有し、前記円弧形誘導壁夫々に前記イオン発生部を配してある構成とするのが好ましい。
この発明にあっては、ケーシング内の比較的狭い通路を高風速で通流する層流の空気にイオンを含ませることができるため、イオン発生部が発生したイオンをより一層効率的に空気に含ませることができ、空気とともに室内に放出するイオンのイオン濃度をより一層増すことができる。
【００１４】
また、本発明に係るイオン発生装置は、前記通流路夫々は、前記吹出口夫々から吹出された空気の上方への通流が層流となるようになしてある筒部を有し、筒部夫々に前記イオン発生部を配してある構成とするのが好ましい。
この発明にあっては、吹出口夫々に連なる筒部夫々に層流部があり、筒部夫々にイオン発生部を配してあるため、送風機の周りを大形に形成することなくイオン発生部を配することができ、イオン発生装置を小形化できる。
【００１５】
また、本発明に係るイオン発生装置は、前記通流路夫々の放出側端に二つの風向体を配してあり、該風向体の少なくとも一つは取外しが自在である構成とするのが好ましい。
この発明にあっては、二つの風向体の風向を異ならせることにより、室内での生活状況に対応してイオンの放出方向を変更することができ、イオンを室内に効率的に放出することができる。
【００１６】
また、本発明に係るイオン発生装置は、前記風向体夫々は、前記筒部夫々から上方へ放出される空気の放出方向に対して斜め方向へ前記空気の放出方向を変える風向部を有する構成とするのが好ましい。
この発明にあっては、二つの風向体の風向を等しくすることにより、総量のイオンを同方向に放出することができ、また、二つの風向体の風向を反対にすることにより、半分のイオンを一方向へ放出し、残り半分のイオンを他方向へ放出することができる。因って、二つの風向体から放出されたイオン同士が室内で干渉するのを防ぐことができる。
【００１７】
また、本発明に係るイオン発生装置は、前記風向体夫々は、断面倒立台形をなす角枠部を有し、該風向体の少なくとも一つは、一方向へ放出する第１の放出部と、他方向へ放出する第２の放出部とを有する構成とするのが好ましい。
この発明にあっては、一方向及び他方向へ放出することができ、しかも、一方向への放出量を多くするか、又は一方向及び他方向への放出量を等しくするとともに、一方向又は一方向及び他方向への放出幅を広くすることができるため、室内での生活状況に対応してイオンを室内の広範囲に効率的に行き渡らせることができる。
【００１８】
また、本発明に係るイオン発生装置は、前記風向体の少なくとも一つは、一方向へ放出する第１の放出部と、他方向へ放出する第２の放出部とを有する構成とするのが好ましい。
この発明にあっては、一方向及び他方向へ放出することができ、しかも、一方向への放出量を多くするか、又は一方向及び他方向への放出量を等しくするとともに、一方向又は一方向及び他方向への放出幅を広くすることができるため、室内での生活状況に対応してイオンを室内の広範囲に効率的に行き渡らせることができる。
【００１９】
また、本発明に係るイオン発生装置は、前記第１及び第２の放出部の一方の風量は他方の風量よりも多い構成とするのが好ましい。
この発明にあっては、少なくとも一つの風向体から一方向及び他方向へ放出することができるため、室内での生活状況に対応してイオンの一方向への放出量を多くするとともに、一方向への放出幅を広くし、イオンの他方向への放出量を少なくするとともに、他方向への放出幅を狭くし、イオンを室内の広範囲に効率的に行き渡らせることができる。また、二つの風向体の夫々から一方向及び他方向へ放出することも可能であり、この場合、室内での生活状況に対応してイオンの一方向への放出量を多くするか、又は一方向及び他方向への放出量を等しくするとともに、一方向又は一方向及び他方向への放出幅を広くすることができるため、イオンを室内の広範囲に効率的に行き渡らせることができる。
【００２０】
また、本発明に係るイオン発生装置は、前記風向体は枠部を有し、前記第１の放出部は、離隔して対向する複数の風向板を有し、前記第２の放出部は前記風向板の一つと前記枠部の内面との間に配してある構成とするのが好ましい。
この発明にあっては、一方向へ放出する第１の放出部及び他方向へ放出する第２の放出部が前記通流路に開放されているため、第１及び第２の放出部に塵埃等が溜るのを防ぐことができる。
【００２１】
また、本発明に係るイオン発生装置は、前記イオン発生部は、前記空気が通流する通流方向と交差する方向に離隔して複数配してある構成とするのが好ましい。
この発明にあっては、イオン発生部が発生したイオンを、比較的狭い通流路を通流する層流の空気に含ませる箇所を多くすることができるため、イオン発生部が発生したイオンをより一層効率的に空気に含ませることができる。因って、空気とともに放出口から放出されるイオンのイオン濃度をより一層増すことができる。
【００２２】
また、本発明に係るイオン発生装置は、前記イオン発生部は、前記通流方向に離隔して複数配してある構成とするのが好ましい。
この発明にあっては、比較的狭い通流路を通流する層流の空気に含ませる箇所をより一層多くすることができるため、イオン発生部が発生したイオンをより一層効率的に空気に含ませることができ、空気とともに放出口から放出されるイオンのイオン濃度をより一層増すことができる。
【発明の効果】
【００２３】
本発明によれば、一つのモータが二つの羽根車を回し、羽根車夫々の回転により発生する気流を二つの通流路から外部へ放出し、通流路夫々にイオン発生部を配してあるため、空気とともに室内に放出するイオンのイオン濃度を高くすることができる。因って、ウイルス菌の除菌効果を大きくすることができ、室内でウイルスに感染するのを低減できる。また、カーテン，衣類等に付着している付着臭を除去する除去効果を大きくすることができる。
【００２４】
また、本発明によれば、羽根車夫々の回転により発生する気流を個別に層流に通流させるようになしてある層流部にイオン発生部を配してあるため、イオン発生部が発生したイオンを、通流路夫々を通流する空気に効率よく含ませることができ、空気とともに室内に放出するイオンのイオン濃度を高くすることができる。因って、ウイルス菌の除菌効果を大きくすることができるとともに、カーテン，衣類等に付着している付着臭を除去する除去効果を大きくすることができる。
【図面の簡単な説明】
【００２５】
【図１】本発明に係るイオン発生装置の構成を示す縦断正面図である。
【図２】本発明に係るイオン発生装置の構成を示す縦断側面図である。
【図３】本発明に係るイオン発生装置のイオン発生器の構成を示す一部を省略した正面図である。
【図４】本発明に係るイオン発生装置の構成を示す平面図である。
【図５】室内の床面に据えられたイオン発生装置の風向体から放出された空気を室内で測定する見取平面図である。
【図６】室内の床面に据えられたイオン発生装置の風向体から放出された空気を室内で測定する見取側面図である。
【図７】本発明に係るイオン発生装置の他の構成を示す縦断側面図である。
【図８】本発明に係るイオン発生装置の他の構成を示す縦断側面図である。
【図９】本発明に係るイオン発生装置の他の構成を示す平面図である。
【発明を実施するための形態】
【００２６】
以下本発明をその実施の形態を示す図面に基づいて詳述する。
実施の形態１
図１は本発明に係るイオン発生装置の構成を示す縦断正面図、図２はイオン発生装置の構成を示す縦断側面図、図３はイオン発生器の構成を示す一部を省略した正面図、図４はイオン発生装置の構成を示す平面図である。
【００２７】
図１に示したイオン発生装置は、離隔して対向する両側壁１ａ，１ｂの下部に吸込口１１，１１を有し、天壁１ｃの中央部に二つの嵌合孔１２，１２を有するハウジング１と、該ハウジング１内の下部に配され、出力軸方向の両側に出力軸２１，２１を有するモータ２と、該モータ２の出力軸２１，２１に装着されている二つの羽根車３，３と、羽根車３，３夫々を回転自在に収容する二つのケーシング４，４と、羽根車３，３夫々の回転により発生する気流を個別に上方へ通流させる筒部としての二つのダクト５，５と、二つのイオン発生部６１，６２を有し、ダクト５，５夫々の途中に配されたイオン発生器６，６と、嵌合孔１２，１２に取外しを可能に配置された風向体７，７とを備える。尚、モータ２と、羽根車３，３とケーシング４，４とが送風機を構成している。
【００２８】
ハウジング１は平面視矩形をなす底壁１ｄと、該底壁１ｄの二辺に連なる前壁１ｅ、後壁１ｆ及び底壁１ｄの他の二辺に連なる側壁１ａ，１ｂと、天壁１ｃとを有する略直方体をなす。両側壁１ａ，１ｂ下部の吸込口１１，１１には、羽根車３，３が吸込口１１，１１から吸込む空気を通過させ、該空気中の異物を除去して清浄空気にするフィルタ８，８が取付けられている。天壁１ｃの嵌合孔１２，１２はその長手方向が前後となる長方形をなし、前側の内面が鉛直に対して前方へ傾斜し、後側の内面が鉛直に対して後方へ傾斜している。また、ハウジング１は上下方向の途中で上分体と下分体とに分断され、下分体にケーシング４，４が装着され、上分体にダクト５，５が装着されている。
【００２９】
羽根車３，３は、外縁に対し回転中心側が回転方向へ変位する複数の羽根３ａを有する多翼羽根車、換言すると円筒形状をなすシロッコ羽根車である。この羽根車３，３の一端には軸受板を有し、該軸受板の中心に開設されている軸孔にモータ２の出力軸２１，２１が取付けられ、他端の開口から中心部の空洞へ吸込んだ空気を外周部の羽根３ａ間から放出するように構成されている。
【００３０】
ケーシング４，４は、羽根車３，３の回転により発生する気流を羽根車３，３の回転方向へ誘導し、気流の速度を速めるための円弧形誘導壁４１，４１及び該円弧形誘導壁４１，４１の一部から円弧形誘導壁４１，４１の接線方向一方へ上向きに開放された吹出口４２，４２とを有する。吹出口４２，４２は円弧形誘導壁４１，４１の一部から円弧形誘導壁４１，４１の接線方向一方で、且つ鉛直に対して斜め方向へ突出する角筒形状をなしている。また、ケーシング４，４は、深皿形をなし、円弧形誘導壁４１，４１及び吹出口４２，４２用の開放部を有するケーシング本体４ａ，４ａと、羽根車３，３の前記開口と対応する箇所が開放され、ケーシング本体４ａ，４ａの開放側を閉塞する蓋板４ｂ，４ｂとを備える。ケーシング４，４は、ケーシング本体４ａ，４ａ夫々の対向側が仕切り用の連結壁４３にて一体に連結されている。また、蓋板４ｂ，４ｂの開放部とフィルタ８，８との間に、複数の通気孔を有する通気板９，９が設けられている。なお、羽根車３，３の周面と、円弧形誘導壁４１，４１及び前壁５ａとの間の通気路４１ａ，４１ａが層流部Ｆになっている。 
【００３１】
連結壁４３のモータ２と対応する箇所は一方のケーシング本体４ａ側へ窪む凹所を有し、該凹所の縁部に深皿状の支持板４４が取付けられている。凹所及び支持板４４の中央部間にはゴム板４５，４５を介してモータ２を挾着保持し、凹所及び支持板４４の中央部に開設されている軸孔に出力軸２１，２１が挿通され、出力軸２１，２１に羽根車３，３を取付けてある。また、連結壁４３の上端はケーシング４，４よりも上方へ延出されている。
【００３２】
ダクト５，５は、その下端が吹出口４２，４２に連なり、その上端が嵌合孔１２，１２に連なり、上下方向の途中が絞られている角筒形の筒部からなる。また、ダクト５，５は、吹出口４２，４２から円弧形誘導面４１，４１の接線方向一方に沿って配された前壁５ａ，５ａと、吹出口４２，４２からほぼ鉛直に配された後壁５ｂ，５ｂと、前壁５ａ，５ａ及び後壁５ｂ，５ｂに連なり、ほぼ鉛直に配された二つの側壁５ｃ，５ｃ、５ｄ，５ｄとを有する。ダクト５，５は、前壁５ａ，５ａの羽根車３に面する側が層流部Ｆ，Ｆになっており、吹出口２４２，４２から吹出された空気を、前壁５ａ，５ａ及び側壁５ｃ，５ｃ、５ｄ，５ｄに沿って層流とし、鉛直に沿わせて通流させるように構成されている。
【００３３】
前壁５ａ，５ａにはイオン発生部６１，６２に対応する貫通孔が開設されており、該貫通孔にイオン発生器６，６が嵌込みにより取付けられている。後壁５ｂ，５ｂにはモータ２、イオン発生器６，６及び電源線に接続されている回路基板１０及び該回路基板１０を被覆するカバー２０が取付けられている。また、ダクト５，５は上下方向の途中でダクト上分体５１とダクト下分体５２とに分断されている。ダクト下分体５２は角筒形をなし、横方向の中央が連結壁４３にて仕切られている。ダクト上分体５１は、横方向に離隔して並置される角筒部５１ａ，５１ａの下部が連結部５１ｂにて一体に連なっており、連結部５１ｂ及び連結壁４３にて仕切られている。また、ダクト上分体５１の上端には、外部から指等の異物が挿入されるのを防ぐための防護網３０，３０を配してある。
【００３４】
イオン発生器６，６は、羽根車３，３の回転により発生する空気の通流方向と交差する方向へ離隔した二つのイオン発生部６１，６２と、イオン発生部６１，６２に電圧を供給する給電部と、イオン発生部６１，６２及び給電部を保持する保持体６３とを備える。イオン発生器６，６は、給電部がイオン発生部６１，６２に電圧を供給することにより、イオン発生部６１，６２がコロナ放電し、イオンを発生するように構成されている。
【００３５】
イオン発生部６１，６２は、尖鋭状をなす放電電極凸部６１ａ，６２ａ、及び該放電電極凸部６１ａ，６２ａを囲繞する誘導電極環６１ｂ，６２ｂを有し、誘導電極環６１ｂ，６２ｂ夫々の中心部に放電電極凸部６１ａ，６２ａを配してある。イオン発生器６，６は、一方のイオン発生部６１がプラスのイオンを発生し、他方のイオン発生部６２がマイナスのイオンを発生するように構成されている。
【００３６】
イオン発生器６，６は、２個を一つの保持体６３に保持してある。２個のイオン発生器６，６はダクト５，５夫々の前壁５ａ，５ａに取付けられ、前記通流方向へ離隔して並置されている。また、２個のイオン発生器６，６夫々のイオン発生部６１，６２は、前記通流方向と交差する位置に並べて配され、隣合う側の極性を等しくしてあり、イオン発生器６，６夫々のイオン発生部６１，６２が前記貫通孔からダクト５，５内に臨んでいる。また、保持体６３のダクト５，５への取付側はイオン発生部６１，６２夫々に対応する４箇所が開口６３ａされており、開口６３ａ夫々にイオン発生部６１，６２を配してある。
【００３７】
風向体７，７は、前後方向の断面形状が逆台形をなす角枠部７１，７１、及び該角枠部７１，７１内に前後方向へ離隔して並置され、鉛直に対して前後方向一方へ傾斜する複数の風向板７２，７２を有し、等形状に形成されている。角枠部７１，７１の前後の壁は鉛直に対して前後方向へ傾斜している。
【００３８】
以上のように構成されたイオン発生装置は居住室内に据えられる。送風機のモータ２の駆動により、羽根車３，３が回転し、室内の空気が両側の吸込口１１，１１から二つのケーシング４，４内へ吸込まれ、吸込まれた空気中の塵埃等の異物はフィルタ８，８により除去される。この際、ケーシング４，４内に吸込まれた空気は、羽根車３，３周りの円弧形誘導壁４１，４１に沿う気流となりつつ該円弧形誘導壁４１，４１により整流される。整流された空気は通気路４１ａ，４１ａの層流部Ｆにて層流となる。この層流の空気は円弧形誘導壁４１，４１に沿って図２の二点鎖線の矢印Ｘで示す如く吹出口４２，４２へ通流し、該吹出口４２，４２からダクト５，５内へ吹出される。
【００３９】
層流部Ｆ，Ｆは、側面視においてダクト５，５の前壁５ａ，５ａ及び円弧形誘導壁４１，４１が羽根車３に面する側の通気路４１ａ，４１ａに存在する。前壁５ａ，５ａ、側壁５ｃ，５ｃ、及び、側壁５ｄ，５ｄに囲まれる層流部Ｆ，Ｆを図２の矢印Ｘで示す空気の層流が通流する。この層流の状態で通流させる前壁５ａ，５ａにイオン発生器６，６を配してある。以上のとおり、イオン発生器６，６のイオン発生部６１，６２が発生したプラス及びマイナスのイオンを、前壁５ａ，５ａに沿って比較的狭い通路を層流の状態で通流する空気に効率的に含ませることができる。また、ダクト５，５の上下方向の途中は絞られて空気が高風速で通流するように構成されているため、プラスイオン及びマイナスイオンを空気に効率的に含ませることができる。また、イオン発生器６，６は、空気の通流方向に離隔して複数配し、空気にイオンを含ませる箇所を多くしてあるため、イオンを効率よく空気に含ませることができる。なお、本実施の形態においてはイオン発生器６，６を吹出口４２，４２に臨ませて円弧形誘導壁４１，４１の端部となる前壁５ａ，５ａに配置する例を挙げたがこれに限るものではない。イオン発生器６，６，が、ダクト５，５内部の矢印Ｘで示す空気の層流が通流する層流部Ｆ，Ｆに臨むのであれば、他の場所に配置しても良い。例えば、側面視において円弧形誘導壁４１，４１の曲率が一定の円の部分から、曲率が上方に向けて徐々に小さくなる弧の部分または曲率が無限大となる直線部分にイオン発生器６，６を配置しても良い。
【００４０】
因に、ダクト５，５の前壁５ａ，５ａに二つのイオン発生器６，６を前記通流方向へ離隔して配してある構成において、室内に放出された空気の１cm3 当たりのイオン濃度を測定した結果、７０００個／cm3 程度のイオン濃度を得ることができた。因って、室内のウイルス菌の除菌効果、及びカーテン，衣類等に付着している付着臭の除去効果を高めることができる。
【００４１】
従来から正イオンＨ+ （Ｈ2 Ｏ）ｍ（ｍは任意の整数）、負イオンＯ2-（Ｈ2 Ｏ）ｎ（ｎは任意の整数）を空気中に送出し、イオンの反応によって浮遊細菌等を殺菌することは知られていた。しかし、前記イオンは各々が再結合して消滅するため、イオン発生素子の極近傍では高濃度が実現できても、送出する距離が遠くなればなるほど急激にその濃度が減少してしまっていた。従って、実験装置のような小容量の空間ではイオン濃度を数万個／cm3 とすることが出来ても、実際の居住空間や作業空間等の大きな空間ではせいぜい２〜３，０００個／cm3 の濃度とするのが限度であった。
【００４２】
一方発明者らは、実験室レベルで前記イオン濃度が７，０００個／cm3 の時には、トリインフルエンザウイルスが１０分間で９９％、５０，０００個／cm3 においては９９．９％除去できることを発見した。双方の除去率が持つ意味は、空気中に１，０００個／cm3 のウイルスが存在したと仮定すると、各々１０個／cm3 および１個／cm3 が残留することを示す。つまり、イオン濃度を７，０００個／cm3 から５０，０００個／cm3 に高めることによって、残留するウイルスが１／１０になるのである。
【００４３】
このことから、人などが生活する居住空間や作業空間において、高濃度のイオンを送出するだけではなく、空間全体にイオン濃度を高濃度にすることが感染症予防や環境浄化において非常に重要なことであることがわかる。
【００４４】
図５は室内の床面に据えられた本発明に係るイオン発生装置の風向体から放出された空気を室内で測定する見取平面図、図６は室内の床面に据えられた本発明に係るイオン発生装置の風向体から放出された空気を室内で測定する見取側面図である。表１は実施の形態１におけるイオン発生装置の室内でのイオン濃度を測定した結果を示すデータである。
【００４５】
【表１】
2010080425.tif 000003
【００４６】
実施の形態１におけるイオン発生装置の室内Ａ〜Ｃ点で、且つ室内の床面に対する高さＨ１〜Ｈ３点でのイオン濃度を測定したところ、表１に示す結果が得られた。図５及び図６において、室内は、３００cm×３５０cmの床面積、２５０cmの高さであり、イオン発生装置は３００cm側の一の壁に対し２０cm離隔し、且つ床面に対し５５cm離隔した支持台に据えてある。
【００４７】
測定点Ａは室内の３００cm側の一の壁に対し８７．５cm離隔した箇所で、３５０cm側の両側壁から７５cm離隔した箇所及び両側壁間の中央箇所である。測定点Ｂは室内の３００cm側の一の壁に対し１７５cm離隔した箇所で、３５０cm側の両側壁から７５cm離隔した箇所及び両側壁間の中央箇所である。測定点Ｃは室内の３００cm側の一の壁に対し２６２．５cm離隔した箇所で、３５０cm側の両側壁から７５cm離隔した箇所及び両側壁間の中央箇所である。また、測定点Ａ，Ｂ，Ｃにおける高さＨ１は６２．５cm、高さＨ２は１２５cm、高さＨ３は１８７．５cmである。また、イオン発生装置の発生風量は１．２m3 ／min である。
【００４８】
表１の測定結果により、測定点Ａ，Ｂの高さＨ３点ではいずれもイオン濃度を２１，４００個／cm3  〜６７，５００個／cm3 に高めることができており、また、測定点Ｃの高さＨ３点における最低イオン濃度でも８，０００個／cm3 に高めることができている。また、測定点Ａ〜Ｃにおける高さＨ３の平均値では２４，０２２個／cm3 及び２６，５４４個／cm3 、高さＨ２の平均値では１２，１５６個／cm3 及び１３，１１１個／cm3 、高さＨ１の平均値では１１，３３３個／cm3 及び１２，０６７個／cm3 のイオン濃度に高められている。また、測定点Ａの壁から横方向へ離隔した位置別の平均値では１５，９００個／cm3 及び３２，５６７個／cm3 、測定点Ｂの壁から横方向へ離隔した位置別の平均値では１４，２００個／cm3 及び２１，０３３個／cm3 、測定点Ｃの壁から横方向へ離隔した位置別の平均値では９，８３３個／cm3 及び１１，２００個／cm3 のイオン濃度に高められている。表１の測定結果により明らかなとおり、室内へ放出されたイオンの濃度を高くすることができることを実証することができた。
【００４９】
実施の形態２
図７、図８は本発明に係るイオン発生装置の他の構成を示す縦断側面図、図９はイオン発生器の他の構成を示す平面図である。
【００５０】
図７〜図９に示したイオン発生装置は、前後方向の断面形状が逆台形をなす角枠部７１，７１を有する風向体７，７に、一方向へ風向する第１の放出部７ａ，７ａと、他方向へ風向する第２の放出部７ｂ，７ｂとを設けたものである。
【００５１】
角枠部７１，７１は、前壁７１ａ及び後壁７１ｂが鉛直に対して前後方向へ傾斜し、前壁７１ａ及び後壁７１ｂに連なる両側壁７１ｃ，７１ｃが鉛直に沿う略長円筒形をなし、ハウジング１の嵌合孔１２，１２に上方への取外しを可能に嵌合されている。
【００５２】
第１の放出部７ａ，７ａは、角枠部７１，７１内に前後方向へ離隔して並置され、鉛直に対して前後方向一方へ傾斜する２数の風向板７２，７２の間及び一方の風向板７２と前壁７１ａとの間に形成されている。
【００５３】
第２の放出部７ｂ，７ｂは、角枠部７１，７１の傾斜する後壁７１ｂと１枚の風向板７２との間に形成されている。角枠部７１及び風向板７２は合成樹脂材にて一体に成形されている。
【００５４】
第１及び第２の放出部７ａ，７ｂの風量は、約３：１の比率で第１の放出部７ａが第２の放出部７ｂよりも多くなるようになしてある。
【００５５】
以上のように構成されたイオン発生装置にあっては、ダクト５，５から上方へ放出される空気は、第１の放出部７ａにて一方向へ放出されるとともに、第２の放出部７ｂにて他方向へ風向され、第１及び第２の放出部７ａ，７ｂから室内へ放出される。因って、一方向及び他方向への放出幅（横方向の幅）を広くすることができ、広範囲に放出することができる。
【００５６】
風向体７，７は、第１の放出部７ａの風量が第２の放出部７ｂの風量よりも多いため、風向体７，７における第１の放出部７ａ，７ａの方向、及び第２の放出部７ｂ，７ｂの方向を等しくすることにより、一方向への風量を例えば３：１の比率で多くし、他方向への風量を少なくし、一方向及び他方向への放出幅を広くして広範囲に放出することができる。また、図６に示すように、風向体７，７における第１の放出部７ａ，７ａの方向を反対にすることにより、一方向及び他方向への風量を等しくし、一方向及び他方向への放出幅を広くして広範囲に放出することができる。
【００５７】
また、風向体７，７における第１及び第２の放出部７ａ，７ｂは、ダクト５，５内に開放されているため、第１及び第２の放出部７ａ，７ｂに塵埃等が溜るのを防ぐことができる。
【００５８】
表２は実施の形態２におけるイオン発生装置の室内でのイオン濃度を測定した結果を示すデータである。測定条件及び測定点は図５、図６に示す実施の形態１と同じである。
実施の形態２におけるイオン発生装置の室内Ａ〜Ｃ点で、且つ高さＨ１〜Ｈ３点でのイオン濃度を測定したところ、表２に示す結果が得られた。
【００５９】
【表２】
2010080425.tif 000004
【００６０】
表２の測定結果により、測定点Ａ，Ｂの高さＨ３点ではいずれもイオン濃度を１８，２００個／cm3 〜１２３，２００個／cm3 高めることができており、また、測定点Ａの高さＨ１点における最低イオン濃度でも９，５００個／cm3 に高めることができている。また、測定点Ａ〜Ｃにおける高さＨ３の平均値では３０，４１１個／cm3 及び３４，３３３個／cm3 、高さＨ２の平均値では１４，１６７個／cm3 及び１６，０５６個／cm3 、高さＨ１の平均値では１２，２３３個／cm3 及び１３，６１１個／cm3 のイオン濃度に高められている。また、測定点Ａの壁から横方向へ離隔した位置別の平均値では１８，６６７個／cm3 及び４９，３６７個／cm3 、測定点Ｂの壁から横方向へ離隔した位置別の平均値では１４，４３３個／cm3 及び２４，４３３個／cm3 、測定点Ｃの壁から横方向へ離隔した位置別の平均値では１１，５００個／cm3 及び１３，４６７個／cm3 のイオン濃度に高められている。表２の測定結果により明らかなとおり、室内へ放出されたイオンの濃度をより一層高くすることができることを実証することができた。
【００６１】
また、実施の形態２のイオン発生装置にあっては、表１及び表２に現れているように、実施の形態１のイオン発生装置よりも室内へ放出されたイオンの濃度を高くすることができ、また、イオンを室内の広範囲に効率的に行き渡らせることができた。
その他の構成及び作用は実施の形態１と同様であるため、同様の部品については同じ符号を付し、その詳細な説明及び作用効果の説明を省略する。
【００６２】
尚、以上説明した実施の形態では、羽根車３，３夫々の回転により送出する空気の通流が層流となる層流部Ｆ，Ｆをダクト５，５が有し、ダクト５，５夫々の層流部Ｆ，Ｆにイオン発生部６１，６２を配してある。その他、イオン発生部６１，６２は、羽根車３，３夫々の回転により送出する空気の通流が層流となる層流部Ｆ，Ｆを有する円弧形誘導壁に配してもよく、イオン発生部を配する箇所は特に制限されない。
【００６３】
また、以上説明した実施の形態では、二つのダクト５，５内の通流方向と交差する位置に、前記通流方向へ離隔する二つのイオン発生器６，６を並置したが、その他、二つの通流路のイオン発生器６，６は、前記通流方向へ離隔して配してもよい。
【００６４】
また、以上説明した実施の形態では、二つの風向体７，７を取外し自在としたが、その他、風向体７，７の一つを取外し自在とし、他の風向体をハウジング１に固定、又はハウジング１と一体に成形する構成としてもよい。
【００６５】
また、以上説明した実施の形態では、風向体７，７は角枠部７１を有する構成としたが、その他、風向体７，７は空気の放出方向を変える一つ風向板７２、又は、離隔して連結された複数の風向板７２を有する構成としてもよい。
【符号の説明】
【００６６】
２    モータ
２１  出力軸
３    羽根車（送風機）
４    ケーシング（整風体）
４１  円弧形誘導壁
４２  吹出口
５    ダクト（通流路、筒部）
６    イオン発生器
６１，６２  イオン発生部
７    風向体
７ａ  第１の放出部
７ｂ  第２の放出部
７１  角枠部（枠部）
７２  風向部
Ｆ    層流部 
【図１】
2010080425.tif 000005
【図２】
2010080425.tif 000006
【図３】
2010080425.tif 000007
【図４】
2010080425.tif 000008
【図５】
2010080425.tif 000009
【図６】
2010080425.tif 000010
【図７】
2010080425.tif 000011
【図８】
2010080425.tif 000012
【図９】
2010080425.tif 000013
【手続補正書】
【提出日】平成21年8月20日(2009.8.20)
【手続補正１】
【補正対象書類名】明細書
【補正対象項目名】０００８
【補正方法】変更
【補正の内容】
【０００８】
本発明に係るイオン発生装置は、送風機と、イオンを発生させるイオン発生部とを備え、該イオン発生部が発生したイオンを、前記送風機が送出する空気とともに外部に放出するようになしてあるイオン発生装置において、前記イオン発生部は、正イオンを発生させる正イオン発生部及び該正イオン発生部と離隔した位置で負イオンを発生させる負イオン発生部を有し、前記送風機は、軸方向の両方に出力軸を有するモータ及び前記出力軸夫々に装着されている二つの羽根車を有し、羽根車夫々の回転により送出する空気を同方向へ個別に通流させて装置の外部へ放出する二つの通流路を備え、前記流通路夫々の一部又は全部は、前記空気の通流が層流となる層流部を有し、層流部夫々に前記イオン発生部を配してあることを特徴とする。
【手続補正２】
【補正対象書類名】明細書
【補正対象項目名】００１０
【補正方法】変更
【補正の内容】
【００１０】
また、本発明にあっては、羽根車夫々の回転により発生する気流が個別に層流となる層流部にイオン発生部を配してあるため、イオン発生部が発生したイオンを、通流路夫々を通流する層流の空気に効率的に含ませることができ、空気とともに室内に放出するイオンのイオン濃度を高くすることができる。因って、ウイルス菌を分解して除菌する除菌効果を大きくすることができ、室内でウイルスに感染するのを低減できる。また、カーテン，衣類等に付着している付着臭を除去する除去効果を大きくすることができる。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、本発明に係るイオン発生装置は、前記整風体は、前記羽根車夫々の回転により送出する空気を誘導する二つの円弧形誘導壁及び該円弧形誘導壁夫々の一部から円弧形誘導壁夫々の接線方向一方へ開放されている二つの吹出口を有し、前記円弧形誘導壁夫々に前記イオン発生部を配してある構成とするのが好ましい。
この発明にあっては、整風体内の比較的狭い通路を高風速で通流する層流の空気にイオンを含ませることができるため、イオン発生部が発生したイオンをより一層効率的に空気に含ませることができ、空気とともに室内に放出するイオンのイオン濃度をより一層増すことができる。
【手続補正５】
【補正対象書類名】明細書
【補正対象項目名】００１４
【補正方法】変更
【補正の内容】
【００１４】
また、本発明に係るイオン発生装置は、前記通流路夫々は、前記吹出口夫々から吹出された空気の上方への通流が層流となるようになしてある筒部を有し、筒部夫々に前記イオン発生部を配してある構成とするのが好ましい。
この発明にあっては、吹出口夫々に連なる筒部夫々に層流部があり、筒部夫々にイオン発生部を配してあるため、送風機の周りを大形に形成することなくイオン発生部を配することができ、イオン発生装置を小形化できる。
また、本発明に係るイオン発生装置は、前記筒部は、その上下方向の途中は絞られて空気が高風速で通流するように構成されているのが好ましい。
【手続補正６】
【補正対象書類名】明細書
【補正対象項目名】００１８
【補正方法】変更
【補正の内容】
【００１８】
また、本発明に係るイオン発生装置は、送風機と、イオンを発生させるイオン発生部とを備え、該イオン発生部が発生したイオンを、前記送風機が送出する空気とともに外部に放出するようになしてあるイオン発生装置において、前記送風機は、軸方向の両方に出力軸を有するモータ及び前記出力軸夫々に装着されている二つの羽根車を有し、羽根車夫々の回転により送出する空気を同方向へ個別に通流させて装置の外部へ放出する二つの通流路を備え、該流通路夫々に前記イオン発生部を配してあり、前記通流路夫々の放出側端に、二つの風向体を該風向体の少なくとも一方の取外しが自在となるように配してあり、該風向体の少なくとも一つは、一方向へ放出する第１の放出部と、他方向へ放出する第２の放出部とを有することを特徴とする。
この発明にあっては、一方向及び他方向へ放出することができ、しかも、一方向への放出量を多くするか、又は一方向及び他方向への放出量を等しくするとともに、一方向又は一方向及び他方向への放出幅を広くすることができるため、室内での生活状況に対応してイオンを室内の広範囲に効率的に行き渡らせることができる。
【手続補正７】
【補正対象書類名】特許請求の範囲
【補正対象項目名】全文
【補正方法】変更
【補正の内容】
【特許請求の範囲】
【請求項１】
送風機と、イオンを発生させるイオン発生部とを備え、該イオン発生部が発生したイオンを、前記送風機が送出する空気とともに外部に放出するようになしてあるイオン発生装置において、
前記イオン発生部は、正イオンを発生させる正イオン発生部及び該正イオン発生部と離隔した位置で負イオンを発生させる負イオン発生部を有し、
前記送風機は、軸方向の両方に出力軸を有するモータ及び前記出力軸夫々に装着されている二つの羽根車を有し、羽根車夫々の回転により送出する空気を同方向へ個別に通流させて装置の外部へ放出する二つの通流路を備え、
前記通流路夫々の一部又は全部は、前記空気の通流が層流となる層流部を有し、層流部夫々に前記イオン発生部を配してあることを特徴とするイオン発生装置。
【請求項２】
前記羽根車の回転により送出する空気を整風する整風体を備え、該整風体に前記イオン発生部を配してある請求項１記載のイオン発生装置。
【請求項３】
前記整風体は、前記羽根車夫々の回転により送出する空気を誘導する二つの円弧形誘導壁及び該円弧形誘導壁夫々の一部から円弧形誘導壁夫々の接線方向一方へ開放されている二つの吹出口を有し、前記円弧形誘導壁夫々に前記イオン発生部を配してある請求項２記載のイオン発生装置。
【請求項４】
前記通流路夫々は、前記吹出口夫々から吹出された空気の上方への通流が層流となるようになしてある筒部を有し、筒部夫々に前記イオン発生部を配してある請求項３記載のイオン発生装置。
【請求項５】
前記筒部は、その上下方向の途中は絞られて空気が高風速で通流するように構成されている請求項４記載のイオン発生装置。
【請求項６】
前記通流路夫々の放出側端に二つの風向体を配してあり、該風向体の少なくとも一つは取外しが自在である請求項１から５のいずれか一つに記載のイオン発生装置。
【請求項７】
前記風向体夫々は、前記筒部夫々から上方へ放出される空気の放出方向に対して斜め方向へ前記空気の放出方向を変える風向部を有する請求項６記載のイオン発生装置。
【請求項８】
前記風向体夫々は、断面倒立台形をなす角枠部を有し、該風向体の少なくとも一つは、一方向へ放出する第１の放出部と、他方向へ放出する第２の放出部とを有する請求項７記載のイオン発生装置。
【請求項９】
送風機と、イオンを発生させるイオン発生部とを備え、該イオン発生部が発生したイオンを、前記送風機が送出する空気とともに外部に放出するようになしてあるイオン発生装置において、
前記送風機は、軸方向の両方に出力軸を有するモータ及び前記出力軸夫々に装着されている二つの羽根車を有し、羽根車夫々の回転により送出する空気を同方向へ個別に通流させて装置の外部へ放出する二つの通流路を備え、
該通流路夫々に前記イオン発生部を配してあり、前記通流路夫々の放出側端に、二つの風向体を該風向体の少なくとも一方の取外しが自在となるように配してあり、該風向体の少なくとも一つは、一方向へ放出する第１の放出部と、他方向へ放出する第２の放出部とを有することを特徴とするイオン発生装置。
【請求項１０】
前記第１及び第２の放出部の一方の風量は他方の風量よりも多い請求項８又は９記載のイオン発生装置。
【請求項１１】
前記風向体は枠部を有し、前記第１の放出部は、離隔して対向する複数の風向板を有し、前記第２の放出部は前記風向板の一つと前記枠部の内面との間に配してある請求項９又は１０記載のイオン発生装置。
【請求項１２】
前記イオン発生部は、前記空気が通流する通流方向と交差する方向に離隔して複数配してある請求項１から１１のいずれか一つに記載のイオン発生装置。
【請求項１３】
前記イオン発生部は、前記通流方向に離隔して複数配してある請求項１２記載のイオン発生装置。